(57)【特許請求の範囲】
【請求項１】
略凹状に形成された収納部本体と、該収納部本体の一側からヒンジ部を介して連設された共蓋と、を天然素材または合成樹脂で一体成形すると共に、上記ヒンジ部に沿って切断手段が形成された薄肉切断部を成形し、上記ヒンジ部の原反配向性が（＋）の性状を有することを特徴とする納豆容器。
【請求項２】
前記薄肉切断部の切断を開始する一方側端部あるいは両端部に切込部を形成したことを特徴とする請求項１に記載の納豆容器。
【請求項３】
前記略凹状に形成された収納部本体と、該収納部本体の一側からヒンジ部を介して連設された共蓋と、を原反配向性が（＋）の性状を有する発泡ポリスチレン樹脂で一体成形し、上記ヒンジ部に沿って薄肉切断部を成形し、この薄肉切断部に沿って１条のミシン目を形成すると共に、上記薄肉切断部の切断を開始する一方側端部あるいは両端部に切込部を形成したことを特徴とする納豆容器。
【請求項４】
請求項１乃至請求項３のいずれかに記載の納豆容器の共蓋に凹部を形成し、この凹部を利用して複数個の納豆容器を積層し、この積層状態を保持させる帯掛けで包装すると共に、該帯掛けにミシン目および／または引き代を形成したことを特徴とする納豆容器。
【発明の詳細な説明】
【０００１】
【発明の属する技術分野】
この発明は、納豆が収納される収納部本体と共蓋とがヒンジ部を介して一体形成され、使用時には、収納部本体と共蓋とをヒンジ部で切断分離して使用することができる納豆容器に関する。
【０００２】
【従来の技術】
従来、多く用いられている発泡樹脂製の納豆容器は、発泡樹脂シートを加熱して押圧成形することにより形成され、納豆が収納される収納部本体と共蓋とがヒンジ部を介して一体に接続されて構成されている。
【０００３】
しかしながら、収納部本体と共蓋とが一体成形された従来の納豆容器にあっては、納豆を撹拌したりする場合に、上記共蓋が邪魔となり、撹拌しにくい、という問題を有していた。
【０００４】
また、上記従来の納豆容器にあっては、使用した後のからしや調味料等の包装袋をテーブルや皿等に放置しなければならないため、テーブル等がからしや調味料等で汚損され易く、しかも、この使用済のからしや調味料等の包装袋を開いた共蓋に置いたまま納豆の撹拌作業等を行なった場合には、開封時に発生する包装袋の切れ端が収納本体部内に誤って落ち、該切れ端が納豆に混入したまま食されてしまう、という問題を有していた。
【０００５】
加えて、上記従来の納豆容器にあっては、使用済のからしや調味料等の包装袋を開いた共蓋に置いたままで該納豆容器をテーブルに置いたときに、収納部本体が傾いたりして不安定である等、非常に使い勝手が悪い、という問題を有していた。
【０００６】
そこで、従来の納豆容器の中には、例えば、実開平４−１１８３１３号公報所載の技術のように、収納部本体と共蓋とを接続しているヒンジ部にミシン目を形成し、このミシン目に沿って共蓋を切り離し、収納部本体のみで撹拌作業等を行なうことができるように構成することで、上記問題を解決し、利便性の向上を図ったものも提案されている。
【０００７】
【発明が解決しようとする課題】
しかしながら、このようなミシン目を形成した従来の納豆容器にあっても、このミシン目に沿って共蓋をきれいに切り離すことは非常に難しく、誤って収納部本体を破断してしまい、結局は、別の容器に納豆を移し替えて使用しなければならなくなる、という失敗例も多く、この改善が強く要望されているのが現状である。
【０００８】
一般に、この種の納豆容器は、納豆が粘性を有するため、他の容器に移し替えなくとも使用できる点に利便性が認められている以上、上記のように、共蓋を切り離して使用する場合には、収納部本体が確実に破断されないものでなければ納豆容器としては不適格である。
【０００９】
この発明は、かかる現状に鑑み創案されたものであって、その目的とするところは、納豆を食するときには、薄肉状に形成されたヒンジ部の薄肉切断部に形成されたミシン目に沿って収納部本体と共蓋とを切断して分離させることで、調味料等の混入作業や納豆の撹拌作業を簡便に行なうことができると共に、使用済のからしや調味料等の包装袋の切れ端が納豆に混入する心配もなく、また、容器使用後に食卓に置いても、容器が傾いたりして中の調味液等がこぼれる心配がない使い勝手に優れた納豆容器を提供しようとするものである。
【００１０】
【課題を解決するための手段】
上記目的を達成するため、この発明にあっては、納豆容器を、略凹状に形成された収納部本体と、該収納部本体の一側からヒンジ部を介して連設された共蓋と、を天然素材または合成樹脂で一体成形すると共に、上記ヒンジ部に沿って切断手段が形成された薄肉切断部を成形し、該薄肉切断部における切断の引張力を０．８ｋｇ以上乃至３ｋｇ以下としたことを特徴とするものである。０．８ｋｇ以下では、蒸煮豆盛り込み機による蒸煮豆盛り込みのときの共蓋の破損が生じ、機械的強度を得ることができない。また、３ｋｇ以上では、切断の引張力が大きくなり過ぎるため、引き裂きにくくなり、切断面が凹凸になり収納部本体まで破断するためである。
【００１１】
この発明において、合成樹脂とは、例えば、発泡ポリスチレンやポリオレフィン等の樹脂を利用できるが、発泡ポリスチレン樹脂が好適であり、また、天然素材とは、パルプ紙やバイオポリマー、生分解性ポリマー等が利用できる。
【００１２】
また、この発明において、上記薄肉切断部は薄肉状に成形され、該薄肉切断部に沿ってミシン目を開設することで、共蓋をきれいに、かつ、確実に切除することができるように構成するのが望ましい。
【００１３】
さらに、本発明において、上記切断手段は、１条のミシン目で形成するのが望ましく、かつ、該ミシン目性状が、ミシン目穴長（スリット）１〜５ｍｍに対し、各ミシン目間隔が０．５〜２ｍｍとするのが、共蓋の折り曲げが容易となるので望ましい。０．５ｍｍ以下では、切断の引張力が０．８以下となり機械耐性が減少し、また、２ｍｍ以上では、引き裂きにくくなり切断面が凹凸となって収納部本体まで破断する虞れが生じるためである。そして、このミシン目が２条以上では、切り口が凹凸となって見栄えが悪く、収納部本体まで破断が及ぶ虞れがあるため、１条とするのが望ましい。
【００１４】
尚、この発明にあっては、少なくとも上記ヒンジ部の原反配向性が（＋）の性状を有して形成するのが望ましい。
【００１５】
この発明において、原反配向性とは、例えば、合成樹脂が発泡ポリスチレン樹脂である場合、発泡ポリスチレン樹脂がシート状に押し出され巻き取られる際に、巻き取り方向（流れ方向）に沿って発生する所謂ラグビーボール状（回転長円体）の気泡の配列方向をいい、原反配向性が（＋）とは、気泡の長径部がヒンジ部に成形される薄肉切断部の長手方向に沿って並んでいる状態を、また、原反配向性が（−）とは、気泡の長径部が上記薄肉切断部の長手方向と直交する方向に並んでいる状態のものをいう。
【００１６】
従って、この発明では、気泡の長径部が、少なくともヒンジ部に成形される薄肉切断部の長手方向に沿って並んでいる状態で成形されたものを用いることで、該薄肉切断部を切断するときに、小さな力で、かつ、直線状に切断することができる。
【００１７】
また、この発明にあっては、上記薄肉切断部の切断を開始する一方側端部或は両端部に切込部（ノッチ）を形成することで、共蓋の切断作業を、より確実に、かつ、容易に行なうことができる。この切込部の形状としては、Ｖ字状・Ｕ字状・Ｉ字状または円弧状等、その形状は特に限定はされないが、製造時の簡便性からＶ字状のノッチが最も好適である。ノッチを形成することによって薄肉切断部位を明確にする誘導効果が期待できる。
【００１８】
さらに、この発明にあっては、上記目的を達成する他の構成として、納豆容器を、上記略凹状に形成された収納部本体と、該収納部本体の一側からヒンジ部を介して連設された共蓋と、を原反配向性が（＋）の性状を有する発泡ポリスチレン樹脂で一体成形し、上記ヒンジ部に沿って薄肉切断部を成形し、該薄肉切断部に沿って１条のミシン目を形成すると共に、上記薄肉切断部の切断を開始する一方側端部或は両端部に切込部を形成したことを特徴とするものである。
【００１９】
そして、この他の構成からなる発明においても、上記ミシン目の性状は、ミシン目穴長１〜５ｍｍに対し、各ミシン目間隔が０．５〜２ｍｍとするのが前記理由からも明らかなように望ましい。
【００２０】
加えて、この発明にあっては、上記共蓋に凹部を形成し、調味料類等が収納された包装体を上記凹部に固着したことを特徴とするものである。この凹部は、例えば、堰部により複数の室に画成し、この各室を耐水性のガスバリヤー性フィルムでラミネートした後、この室内に調味料等やからし及び乾燥ねぎ等の薬味を収納し、かつ、この室内を密封すると共に、密封後に容易に開封できるように構成することで、調味料等を飛散させることなく容易に添加することができるように構成するのが望ましい。勿論、従来のプラスチックフィルムに包装された調味料等を、上記凹部に固着してもよい。
【００２１】
また、上記調味料類等が収納された包装フィルムの圧着部分には、必要な調味料等の選択や容易な開封ができるようにミシン目を形成し、或は、目印と容易な開封のために引き代部を形成するのが望ましい。尚、ミシン目は、圧着部の全部若しくは一部の上面包装フィルムに形成されている。
【００２２】
さらに、この発明にあっては、調味料等を共蓋凹部に収納する場合は、抜き取りにくくするために僅かに凹ませることが必要であるが、特に、調味料類等を共蓋に収納しない場合において、上記納豆容器の共蓋に凹部を形成し、この凹部を利用して複数個の納豆容器を積層し、この積層状態を保持させる帯掛けで包装すると共に、該帯掛けにミシン目および／または引き代を形成することで、荷姿の高さを低く抑え、陳列スペースを少なくすることができると共に、抜き取りにくくして改竄を防止することができる。
【００２３】
【発明の実施の形態】
以下、添付図面に示す実施の形態例に基づき、この発明を詳細に説明する。
【００２４】
図１乃至図４に示すように、この形態例に係る納豆容器Ｃは、収納部本体１が略凹状に形成されていると共に、該収納部本体１の一側からヒンジ部２を介して共蓋３が、原反配向性が（＋）の性状を有する発泡ポリスチレン樹脂で一体形成されている。
【００２５】
即ち、この形態例に係る納豆容器Ｃは、原反配向性が（＋）の性状を有する発泡ポリスチレン樹脂シートを加熱して押圧成形することにより形成され、納豆が収納される収納部本体１と共蓋３とがヒンジ部２を介して一体に接続されて構成されていると共に、上記ヒンジ部２には薄肉切断部８が形成されている。
【００２６】
このように、納豆容器Ｃを、原反配向性が（＋）の性状を有する発泡ポリスチレン樹脂で一体形成することにより、小さな切断の引張力で収納部本体１を破断させることなくきれいに切断することができる。
【００２７】
実験では、消費者の引っ張り力を２０〜５０才代の女性を対象としてパネルテストを行なった。測定は、株式会社コムラ製作所製のプッシュ・プルスケール  ｍｏｄｅｌ  Ｓを使用し、手で真横に引っ張る形で測定した。その結果は、図５に示す通りである。
【００２８】
この実験から明らかなように、本形態例に係る納豆容器Ｃの場合、引っ張り力は最大でも３ｋｇであり、共蓋３の切除に必要な切断の引張力は、０．８以上乃至３ｋｇ以下で十分なことが解る。０．８ｋｇ以下では、蒸煮豆盛り込み機による蒸煮豆盛り込みのときの共蓋３の破損が生じ、機械的強度を得ることができない。また、３ｋｇ以上では、切断の引張力が大きくなり過ぎるため、引き裂きにくくなり、切断面が凹凸になり収納部本体１まで破断するためである。
【００２９】
また、本発明者は、上記実験に加え、ヒンジ部２の薄肉切断部８と切り取り性の関係の実験を行なった。固定条件として、原反配向性をヒンジ流れ方向（配向性＋）とし、かつ、ミシン目４を１ｍｍ間隔で２ｍｍの切り込みとすると共に、所謂ノッチを形成していない条件で実施した。比較条件として、上記薄肉切断部８に、条溝がないもの、１本のもの、２本のものを用意した。その結果を、図６に示す。
【００３０】
この実験結果からも明らかなように、２条溝の場合が最も切断の引張力が小さくてすむことが解るが、切断面が一定とならず切り口が見苦しかった。１条の場合、切り口はきれいであった。
【００３１】
さらに、上記原反配向性と切り取り性との関係も実験で確認した。固定条件として、ヒンジ部２の薄肉切断部８に１条溝を形成し、ミシン目４を１ｍｍ間隔で２ｍｍの切り込みとし、所謂ノッチは形成しない条件で実施した。比較条件として、原反配向性がヒンジ流れ方向（配向性＋）のものと、ヒンジ幅方向（配向性−）のものを用意した。その結果を図７に示す。
【００３２】
この実験結果からも明らかなように、配向性（＋）のものは、共蓋の切除に必要な切断の引張力が１ｋｇ以上低減され、共蓋３の切除手段として有効な手段であることが明らかとなった。
【００３３】
この薄肉切断部８の厚さは、収納部本体１や共蓋３の肉厚の約１／３以下の厚さとなるように形成し、かつ、外側を薄肉に形成するのが望ましく、上記加熱押圧成形時に同時に押圧形成される。
【００３４】
このように構成することで、蒸煮豆盛り込み機による蒸煮豆盛り込みのときの共蓋３の閉蓋を小さな力で円滑に行うことができると共に、共蓋３の切除に要する切断の引張力が小さくて済む、という効果が得られる。
【００３５】
また、上記薄肉切断部８には、ミシン目４が形成されている。このミシン目４の性状は、ミシン目穴長（スリット）１〜５ｍｍに対し、各ミシン目間が１ｍｍに設定するのが望ましい。ミシン目穴長が５ｍｍ以上の場合には、蒸煮豆盛り込み機による蒸煮豆盛り込みのときの共蓋３の破損が生じ、機械的強度を得ることができない。
【００３６】
このミシン目性状と切り取り性との関係の実験を行なった。固定条件として、原反配向性がヒンジ流れ方向（配向性＋）とし、所謂ノッチは形成しない条件で実施した。比較条件として、ミシン目４がないもの、ミシン目穴長１ｍｍでミシン目間隔が１ｍｍのもの、ミシン目穴長２ｍｍでミシン目間隔が１ｍｍのもの、ミシン目穴長３ｍｍでミシン目間隔が１ｍｍのもの、ミシン目穴長４ｍｍでミシン目間隔が１ｍｍのもの、ミシン目穴長５ｍｍでミシン目間隔が１ｍｍのもの、ミシン目穴長７ｍｍでミシン目間隔が１ｍｍのもの、ミシン目穴長９ｍｍでミシン目間隔が１ｍｍのものを用意した。また、納豆製造時に使用する蒸煮豆盛り込み機（鈴与工業株式会社製Ｎ−９０１型）に対する適性を評価した。その結果を、図８と表１に示す。
【００３７】
【表１】
0003720165.tif 000002
【００３８】
上記実験から、共蓋３の切除に必要な切断の引張力と機械適性から、ミシン目穴長１ｍｍでミシン目間隔が１ｍｍのもの、ミシン目穴長２ｍｍでミシン目間隔が１ｍｍのもの、ミシン目穴長３ｍｍでミシン目間隔が１ｍｍのもの、ミシン目穴長４ｍｍでミシン目間隔が１ｍｍのもの、ミシン目穴長５ｍｍでミシン目間隔が１ｍｍのものが適することが解った。
【００３９】
尚、上記薄肉切断部８における切断の引張力を低減させるにはミシン目４が最適であるが、この発明にあってはこれに限定されるものではなく、例えば、上記ヒンジ部２の外側から断面略Ｖ字状の薄肉切断部８を形成し、この薄肉切断部８の底部に上記ミシン目４を貫通形成すると共に、上記薄肉切断部８の反対側からも浅い凹溝（図示せず）を上記断面略Ｖ字状の底部に向かって凹設することで、薄肉切断部８における切断の引張力をより低減させることができる。
【００４０】
また、上記薄肉切断部８の切断を開始する一方端部または両端部には、Ｖ字状の切込部（ノッチ）５が形成されている。勿論、この切込部５の形状は、Ｖ字状に限定されるものではなく、例えば、Ｕ字状、Ｉ字状または円弧状に形成してもよい。この切込部５の性状と切り取り性との関係を表２に示す。ノッチ以外の条件は、配向性（＋）とし、ミシン目４のシン目穴長が２ｍｍでミシン目間隔が１ｍｍとすると共に、薄肉切断部８の溝を１条溝とした。また、手でミシン目の端から切り取る形で力を加えた。そして、ミシン目４以外のところが破断した場合には、容器破損としてカウントした。
【００４１】
【表２】
0003720165.tif 000003
【００４２】
上記実験からも明らかなように、切込部（ノッチ）の形状は、特に限定されるものではなく、いずれの形状でも採用することができるが、製造時の簡便性からＶ字状に形成するのが最も好適である。
【００４３】
さらに、上記共蓋３には、図２乃至図４に示すように、その中央部に浅い凹部６が形成されており、この凹部６は、この形態例では、凸堰６ａ，６ａにより３室６ｂ，６ｃ，６ｄが形成されて構成されている。
【００４４】
そして、この凹部６の表面、即ち、上記各室６ｂ，６ｃ，６ｄ内は、耐水性のガスバリアー性フィルム（酸素不透過膜）７でコーティングされており、これら各室６ｂ，６ｃ，６ｄ内には、たれ等の調味料等とからし及び乾燥ねぎ等の薬味が収納され、さらに、上記各室６ｂ，６ｃ，６ｄ内の上部が耐水性のガスバリアー性フィルム９で密封されている。
【００４５】
勿論、上記ガスバリアー性フィルム（酸素不透過膜）９の凸堰６ａ，６ａ部分と各室６ｂ，６ｃ，６ｄの周縁部は、熱圧着されて各室６ｂ，６ｃ，６ｄが液密状に画成されていると共に、開封時に各室６ｂ，６ｃ，６ｄが独立して開封できるように、上記ガスバリアー性フィルム９の凸堰６ａ，６ａ部分と各室６ｂ，６ｃ，６ｄの隔室部には、ミシン目９ａおよび引き代９ｂが形成されている。
【００４６】
このように構成することで、容易に上記ガスバリアー性フィルムを開封することができると共に、調味料類等を直接に目視確認することができ、包装ミスなどを事前にチェックすることが容易となる。
【００４７】
尚、上記形態例では、各室６ｂ，６ｃ，６ｄを液密状に画成して、調味料等を収納するように構成した場合を例にとり説明したが、この発明にあってはこれに限定されるものではなく、例えば、包装袋に画成収納された調味料等・薬味・からし等を収納したものを上記凹部６に固着する方が、納豆生産ラインの合理化を図る上でも好適である。
【００４８】
尚、図中符号１３は、上記収納本体部１に凹凸に形成されたリブを示しており、該リブ１３は、必要に応じて形成され、収納本体部１の強度を補強する作用を有しており、発酵用酸素を供給する通気路として機能し、かつ、納豆のベタ付を防止する。また、特に図示はしないが、上記共蓋３の凹部６には針穴程度の大きさの通気孔を必要に応じて開設するが、これら通気孔は、加熱成形時の発泡ポリスチレン樹脂シートが孔開け機により形成される。
【００４９】
この形態例に係る納豆容器Ｃは、以上説明したように、共蓋３をミシン目４から小さな切断の引張力できれいに切除することができるので、納豆を撹拌するときに邪魔とならず、また、収納本体部１が破損する心配がないので、納豆を別の容器に移し替える必要がなく、さらには、テーブルに安定して載置することができる。
【００５０】
また、この形態例に係る納豆容器Ｃにあっては、共蓋３を切除することができるので、上記納豆の攪拌作業が容易となることは勿論、調味料等が収納された共蓋３を独立させた状態で取り扱うことができるので、所望の調味料類等を選択して収納部本体１内に容易、かつ、確実に添加することができ、しかも、この切除された共蓋３は、そのままテーブルの上に載置しておくことができるので、新たな皿等の容器を汚す心配がなくなり、使い勝手が非常に良好となる、という効果が得られる。
【００５１】
このように構成された納豆容器Ｃは、図９と図１０に示すように、例えば、３個が積層されて出荷される。即ち、この形態例では、共蓋３の凹部６に調味料類等を収納せずに、該凹部６を利用して納豆容器Ｃを嵌合して積層し、この積層状態を保持させるため、ミシン目１４および引き代１６が形成された帯掛け１５が巻装されて出荷される。このように、上記収納部本体１の底部を下の納豆容器Ｃの共蓋３に形成された浅い凹部６にはめ込むことで、抜き取りを防止し改竄を有効に防止することができる。
【００５２】
【実施例】
本発明者は、以上の各実験結果に基づいて具体的に下記の条件を満足する納豆容器を３０個作成し、その引張耐久力の実験を行なった。条件としては、シート材質として発泡ポリスチレン樹脂を用い、配向性（＋）とし、薄肉切断部の溝を１条溝とし、ミシン目のシン目穴長（スリット）が２ｍｍでミシン目間隔が１ｍｍとすると共に、Ｖ字状のノッチを薄肉切断部の両端部に形成し、かつ、上記薄肉切断部の厚さをシートの厚さの１／８に設定した。
【００５３】
かかる条件を基に、前記株式会社コムラ製作所製のプッシュ・プルスケール  ｍｏｄｅｌ  Ｓを使用し、手で真横に引っ張る形で実測した。その結果、切断の引張力は、最大で２．２５ｋｇ、最小で１．２５ｋｇであり、平均値としては１．９２ｋｇであり、標準偏差（δ）は０．２４６３であった。
【００５４】
【発明の効果】
請求項１に記載された発明にあっては、略凹状に形成された収納部本体と、該収納部本体の一側からヒンジ部を介して連設された共蓋と、を天然素材または合成樹脂で一体成形すると共に、上記ヒンジ部に沿って切断手段が形成された薄肉切断部を成形し、該薄肉切断部における切断の引張力を０．８ｋｇ以上乃至３ｋｇ以下としたので、納豆を食するときに、上記ヒンジ部の薄肉切断部に形成されたミシン目に沿って収納部本体と共蓋とを小さな切断の引張力で容易に切除して分離させることができ、これにより調味料等の混入作業や納豆の撹拌作業を簡便に行なうことができると共に、容器使用後に食卓に置いても、容器が傾いたりして中の調味液等がこぼれる心配がない等、この種の納豆容器の使い勝手性・利便性を大幅に向上させることができる。
【００５５】
また、請求項１に記載された発明では、上記収納部本体と共蓋とを切除して分離することができるので、納豆の調味液等が付着していない共蓋部分を洗浄することなく容器のリサイタルに回すことができて資源の有効利用を図ることができる。
【００５６】
さらに、請求項２に記載された発明によれば、上記薄肉切断部に沿ってミシン目を開設したので、上記切断作業をより小さな力で確実、かつ、きれいに行うことができる。
【００５７】
そして、請求項３及び請求項７に記載された発明によれば、上記切断手段を、１条のミシン目とし、かつ、ミシン目性状を、ミシン目穴長（スリット）１〜５ｍｍに対し、各ミシン目間隔を０．５〜２ｍｍとしたので、蒸煮豆盛り込み機による蒸煮豆盛り込みのときの共蓋の閉蓋を小さな力で円滑に行うことができると共に、共蓋の切除に要する力が少なくて済む、という効果が得られる。
【００５８】
請求項４に記載された発明によれば、上記ヒンジ部の原反配向性を（＋）の性状としたので、共蓋の切除に必要な切断の引張力をさらに低減させることができる。
【００５９】
さらに、この発明にあっては、上記薄肉切断部の切断を開始する一方側端部或は両端部に形成された切込部から切り裂き（切除）を開始できるように構成されているので、収納部本体から共蓋の切除を、小さな切断の引張力で、きれいに、しかも、確実に行うことができる。
【００６０】
請求項６に記載された発明によれば、納豆容器を、略凹状に形成された収納部本体と、該収納部本体の一側からヒンジ部を介して連設された共蓋と、を原反配向性が（＋）の性状を有する発泡ポリスチレン樹脂で一体成形し、上記ヒンジ部に沿って薄肉切断部を成形し、該薄肉切断部に沿って１条のミシン目を形成すると共に、上記薄肉切断部の切断を開始する一方側端部或は両端部に切込部を形成して構成したので、収納部本体と共蓋の切除分離を極めて小さな切断の引張力できれいに行うことができると共に、蒸煮豆盛り込み機による蒸煮豆盛り込みのときの共蓋の閉蓋を小さな力で円滑に行うことができる。
【００６１】
請求項８に記載された発明では、上記共蓋に凹部を形成し、調味料類等が収納された包装体を上記凹部に固着するように構成したので、調味料類等を直接に目視確認することができ、容易に好みの調味料等や薬味を取り出すことができると共に、包装ミスなどを事前にチェックすることが容易となる。
【００６２】
また、請求項９に記載された発明では、上記調味料類等が収納された包装フィルムの圧着部分に、ミシン目または引き代部を形成したので、テーブル等を汚損させることなく所望の調味料等を容易に収納部本体に添加することができる。
【００６３】
請求項１０に記載された納豆容器にあっては、共蓋に凹部を形成し、この凹部を利用して複数個の納豆容器を積層し、この積層状態を保持させる帯掛けで包装すると共に、該帯掛けにミシン目および／または引き代を形成したので、商品の高さを低く抑えることができて陳列スペースが少なくて済み、また、抜き取り等の改竄を有効に防止することができる。
【図面の簡単な説明】
【図１】この発明の実施の一形態例に係る納豆容器の共蓋を開いた状態を示す斜視図である。
【図２】同納豆容器の底面図である。
【図３】同納豆容器の断面図である。
【図４】同共蓋を閉じた状態の納豆容器を示す分解斜視図である。
【図５】消費者の切断の引張力を２０〜５０才代の女性を対象としてパネルテストで測定した結果を示すグラフである。
【図６】ヒンジ部の薄肉切断部と切断の引張力との関係の実験結果を示すグラフである。
【図７】原反配向性と切断の引張力との関係の実験結果を示すグラフである。
【図８】ミシン目性状と切断の引張力との関係の実験結果を示すグラフである。
【図９】同納豆容器を３個積層した状態を示す斜視図である。
【図１０】同納豆容器を３個積層した状態を示す断面図である。
【符号の説明】
Ｃ  納豆容器
１  収納部本体
２  ヒンジ部
３  共蓋
４  ミシン目
５  切込部
８  薄肉切断部
【図１】
0003720165.tif 000004
【図２】
0003720165.tif 000005
【図３】
0003720165.tif 000006
【図４】
0003720165.tif 000007
【図５】
0003720165.tif 000008
【図６】
0003720165.tif 000009
【図７】
0003720165.tif 000010
【図８】
0003720165.tif 000011
【図９】
0003720165.tif 000012
【図１０】
0003720165.tif 000013